(57)【要約】【課題】  支柱の正面及び側面に棚板を取り付ける穴を露出させずに、簡単な構成でありながら、確実に支柱に取り付けることができる組立式棚板装置を提供する。【解決手段】  二本の支柱２，２の背面に棚板取り付け穴３が多数設けてあり、そこに棚受部材１１，１１’の舌片１１ｅが挿入されることにより、棚受部材１１，１１’が支柱２，２に係止される。この状態で、棚受部材１１，１１’上に棚板１２を載置して、取り付けねじ１３とナット１４にて取り付けることにより、棚板ユニット１０が完成すると共に、支柱２，２に対し確実に取り付けられる。【選択図】  図２
2010179032.tif 000002
【特許請求の範囲】
【請求項１】
所定間隔を空けて立設した二本の支柱と、該支柱に取り付ける複数の棚板ユニットとからなる組立式棚装置であって、
上記二本の支柱には、背面に、夫々長手方向に沿って複数の棚板取り付け穴が同じ位置となるように設けられ、
上記棚板ユニットは、
上記支柱に挿入し、その上端には上記支柱の棚板取り付け穴に挿入する舌片が形成された長穴部を有する鈍角傾斜面と水平面とで形成された一対の棚受部材と、
この一対の棚受部材に取り付けられる棚板とで構成されていて、
上記二本の支柱に形成された夫々の棚板取り付け穴に対して上記一対の棚受部材を取り付けた状態で、この棚受部材の水平面の上面に棚板を固定することによって組み立てられると共に、
上記支柱の正面に対して、上記棚受部材に形成された長穴部の下端、或いは長穴部の下端を形成する状態となった棚板の後端面を当接させることにより、
上記二本の支柱に取り付けられることを特徴とする組立式棚装置
【請求項２】
棚受部材の鈍角傾斜面に形成される長穴部は長円形状となっており、その片方の側面には、支柱が嵌入できる切り欠き部が形成されていることを特徴とする請求項1に記載の組立式棚装置
【請求項３】
棚板ユニットは、二本の支柱における所定位置の棚取り付け穴に取り付けられた後に、分解することなく、該所定位置の棚取り付け穴から取り外しが可能であり、他の位置の棚取り付け穴への取り付けも可能となっていることを特徴とする請求項１または２に記載の組立式棚装置
【請求項４】
二本の支柱は、上下方向に長さ調節可能となっていると共に、その上端部及び下端部には、室内の角に形成される廻り縁や幅木と干渉しない状態で、上記支柱に取り付けられる棚受部材における鈍角傾斜面の端部の設置空間が確保できるようなスペーサ壁が形成されており、室内の壁際における床面と天井との間に取り付けることを可能としたことを特徴とする請求項１から３のいずれかに記載の組立式棚装置
【発明の詳細な説明】
【技術分野】
【０００１】
本発明は、商品陳列用や家庭用等で使用される、少ない部材で構成することのできる組立式棚装置に関するものである。
【背景技術】
【０００２】
少ない部材を使用しての組立式棚装置については、間隙を空けて立設した二本の支柱を使って棚を取り付ける構成が知られており、多くの公知技術においては、外観上目視できる支柱の正面或いは側面に、取り付け用の穴が上下方向に複数配置されている。
【０００３】
特許文献１に開示されたユニット棚の取り付け構造においては、支柱の正面及び側面の夫々に形成された取り付け用の穴を使う技術が開示されており、先ず、支柱の正面を利用する構成としては、従来技術として第６図を使って表わされているように、二本の支柱の夫々の正面側に上下方向に多数の係合穴を設け、その係合穴に対して夫々ガイドアームの一端を差し込んで係合させ、その二本のガイドアーム上に棚板を載せて保持する構成が開示されている。
【０００４】
また、側面を利用する構成としては、特許文献１そのものの技術として、二本の支柱の夫々の外側の側面に上下方向に多数のだぼ穴を形成し、そのだぼ穴に対して夫々だぼを取り付けた状態とし、これらの二つのだぼに対して、棚板の後ろ側に立設されているガイド壁の裏面に設けた二つのＬ字状アームを引っ掛け、さらに、ガイド壁裏面を２本の支柱の正面側に当接させて取付ける棚板取り付け構造が開示されている。
【０００５】
一方、外観上目視できない支柱の背面に取り付け用の穴を上下方向に配置する技術としては、少ない部材の構成とはならないが、特許文献２が公知となっている。
この技術は、特許文献１の技術や多くの先行技術ように、棚を支柱の正面側に設置するのではなく、支柱の背面側に設置するものであって、取り付け用スリット孔は支柱の背面で内側面寄りに若干振った位置に多数設けられており、ここに上部に突起が形成されたブラケットが装着可能となっている。
そして、二つの支柱には複数のブラケットが左右一対の状態で取り付けて使用できるが、そのうち上端部ブラケットの一対、並びに、下端部ブラケットの一対は、平板状の後面板にトラス小ねじにて固着され、その状態で、それぞれのブラケット上に、そこに設けられた突起に嵌合する孔を設けた棚板が取り付けられる構成となっている。
【先行技術文献】
【特許文献】
【０００６】
【特許文献１】実公平７−７７９０号公報
【特許文献２】実公平７−４６１８９号公報
【発明の概要】
【発明が解決しようとする課題】
【０００７】
しかしながら、特許文献１に開示された支柱の正面側に棚板を取り付ける技術、並びに、支柱の側面に棚板を取り付ける技術においては、前者は支柱の正面、後者は支柱の側面に棚取り付け用の穴がむき出し状態に多数形成されているため、陳列台用として使用する場合には外観上の美観を損ねるという不都合を備えており、さらにこれらの付け用の穴は棚板の載置側、即ち、物品を収納したり陳列する側に形成されていることになるため、物品の収納や陳列の作業者、並びに、その状態を見る閲覧者の手、指、服、或いは他の物品等が引っかかりやすいという不具合も生じやすい形態となっていた。
【０００８】
また、特許文献２に開示された技術においては、支柱の背面側に棚板を設置する構成となっているため、棚板取り付け用の穴も必然的に支柱の背面側に形成されて、特許文献１に開示された技術のような不都合は生じない構成とはなるが、棚板を支柱の背面側に設置する構成であるため、支柱が邪魔になって、物品の収納や陳列がしにくく、収納物や陳列物自体の状態も見にくくなるという不都合があった。また、棚板を載置するための上端部ブラケットの一対、並びに、下端部ブラケットの一対は、平板状の後面板を取り付ける構成となっているため組立て作業がしにくく、しかも装置自体が複雑で大型化する構成となる不都合が生じていた。
【０００９】
そこで、本発明は、これらの従来技術の不都合を解消すべく、正面や側面から棚板取り付け穴が見えない形態でありながら支柱の前方に棚板が載置できるという陳列効果に優れ、しかも、簡単な構成でありながら、支柱に対して棚板を簡単に取りつけることができる
組立式棚装置を提供することを課題とする。
【課題を解決するための手段】
【００１０】
上記の課題を解決させるために、本発明は支柱の背面側を活用すれば可能になるであろうという観点で鋭意検討してなされたものであり、具体的には、所定間隔を空けて立設した二本の支柱と、この支柱に取り付ける複数の棚板ユニットとからなる組立式棚装置であって、その二本の支柱には、背面に、夫々長手方向に沿って複数の棚板取り付け穴が同じ位置となるように設けられ、その棚板ユニットは、支柱に挿入し、その上端には支柱の棚板取り付け穴に挿入する舌片が形成された長穴部を有する鈍角傾斜面と水平面とで形成された一対の棚受部材と、この一対の棚受部材に取り付けられる棚板とで構成されていて、二本の支柱に形成された夫々の棚板取り付け穴に対して一対の棚受部材を取り付けた状態で、この棚受部材の水平面の上面に棚板を固定することによって組み立てられると共に、支柱の正面に対して、棚受部材に形成された長穴部の下端、或いは長穴部の下端を形成する状態となった棚板の後端面を当接させることにより、二本の支柱に取り付けられるような組立式棚装置の構成とした。
【００１１】
この構成によれば、棚板の取り付けに支柱の正面や側面を利用しないため、その方向からの取り付け穴の露出を防ぐことができ、しかも、支柱の背面を利用する形態でありながら、棚板を、支柱の正面側に対して、簡単且つ、確実に取り付けることができる。
【００１２】
なお、棚受部材の鈍角傾斜面に形成される長穴部は長円形状となっており、その片方の側面には、支柱が嵌入できる切り欠き部が形成されている構成とすると、室内に既に設置された状態で立設した支柱の側面から棚受部材を挿入して、棚板ユニットを作製することができるので、作業性に優れた形態とすることができる。
【００１３】
また、棚板ユニットは、二本の支柱における所定位置の棚取り付け穴に取り付けられた後に、分解することなく、その所定位置の棚取り付け穴から取り外しが可能であり、他の位置の棚取り付け穴への取り付けも可能となるので、棚板の位置の取替えが簡単にできるようになり、利便性が向上する。
【００１４】
さらに、二本の支柱は、上下方向に長さ調節可能となっていると共に、その上端部及び下端部には、室内の角に形成される廻り縁や幅木と干渉しないで、支柱に取り付けられる棚受部材における鈍角傾斜面の端部の設置空間が確保できるようなスペーサ壁を形成すると、室内の壁際における床面と天井との間にコンパクトに取り付けることができる利点も生じる。
【発明の効果】
【００１５】
本発明によれば、従来の多くの組立式棚装置が、支柱の正面や側面に棚板取り付け穴が露出していたのに、それを防ぐことができ、しかも棚自体は支柱の正面側に取り付けることができるので、棚板取り付け穴に手、指、服等が引っかかるような不都合は生じず、しかも収納や陳列が行いやすくて美観に優れた組立式棚装置に仕上げることができる。
また、構成自体が簡単なので、コンパクトで、しかも確実に組み立てることができる。
【図面の簡単な説明】
【００１６】
【図１】本発明の全体の斜視図を表わしたものである。
【図２】本発明の分解斜視図を表わし、（ａ）は全体の構成、（ｂ）は支柱の背面から見た状態を示す。
【図３】本発明における支柱を具体的に説明するための図面であり、（ａ）は室内に設置した状態の側面から見た断面図、（ｂ）は背面図、（ｃ）は正面図、（ｄ）はＡ−Ａ線断面図、（ｅ）はＢ−Ｂ線断面図を示す。
【図４】本発明の支柱の変形例を表わしたものであり、図４（ａ）は第１の変形例、（ｂ）は第２の変形例、（ｃ）は第３の変形例を示す。
【図５】本発明の棚受部材を表わしたものであり、（ａ）は実施例、（ｂ）は変形例１、（ｃ）は変形例２、（ｄ）は変形例３の単品状態、（ｅ）は変形例３の棚板セット状態、（ｆ）は変形例４を示す。
【図６】本発明の支柱への棚板ユニット１０を取り付ける手順を表わしたものであり、（ａ）は棚受部材の差し込み状態の上視図、（ｂ）は同状態の中央拡大断面図、（ｃ）は支柱の棚板取り付け穴に棚受部材の舌片を差し込んだ状態の上視図、（ｄ）はその中央拡大断面図、（ｅ）は棚受部材を支柱に自然に係止させた状態の上視図、（ｆ）はその中央拡大断面図、（ｇ）は棚板を取り付けた状態の上視図、（ｈ）はその中央拡大断面図を示す。
【発明を実施するための形態】
【００１７】
本発明は、立設した二本の支柱の夫々の背面に、多数の棚板取り付け穴を形成し、その棚板取り付け穴に対して、複数の棚板ユニットを取り付けることを基本構成としたものとなっている。
但し、各構成部材においては各種の構成で実施が可能となっているので、それらは、変形例として併せて説明をしていくこととする。
【００１８】
図１は、本発明における組立式棚装置１の全体の斜視図を表わしたものである。
即ち、本発明においては二本の支柱２，２に対して複数の棚板ユニット１０，１０．．．を取り付けた構成となっているが、棚板ユニット１０を取り付けるための穴は、後述するように、支柱２の背面に形成されているため、正面や側面側には露出していないことを最大の特徴としている。
【００１９】
本組立式棚装置の具体的な構成は、後に詳細に説明していくが、概ねの構成を、図２の分解斜視図を使って説明する。
なお、図２（ａ）は全体の構成の分解斜視図を表わし、図２（ｂ）は、支柱１の背面から見た分解斜視図を表わしている。
先ず、支柱２は、背面側に多数の棚板取り付け穴３，３．．．を形成し、上端には上スペーサ部材４、下端には下スペーサ部材５が設けられている。
なお、この支柱１は上下方向に長さ調整可能となっているが、後で詳しく説明することとする。
棚板ユニット１０は、一対の棚受部材１１，１１’、棚板１２、８組の取り付けねじ１３，ナット１４とで構成され、適宜の数量で使用される。
【００２０】
図３は、本発明における支柱２を具体的に説明するための図面であり、図３（ａ）は室内に設置した状態の側面から見た断面図、図３（ｂ）は背面図、図３（ｃ）は正面図、図３（ｄ）はＡ−Ａ線断面図、図３（ｅ）はＢ−Ｂ線断面図を示す。
【００２１】
支柱２は、直径約φ２５ｍｍで、全高は、室内高さや展示棚高さに合うような寸法に設定されており、図３（ａ）の室内に設置した状態の側面から見た断面図に示されるように、主体部分は、厚さ約１ｍｍ程度の金属製円形パイプでなる上支柱６、厚さ約１ｍｍ程度の金属製円形パイプでなる下支柱７、高さ調整軸８とで構成されている。
【００２２】
そして、上支柱６の背面には図３（ｂ）の背面図に示すように、幅約１０ｍｍ高さ約７ｍｍ程度の、棚板取り付け穴３がピッチ約６３ｍｍ程度で多数形成されている。
その反面、上支柱６の正面は図３（ｃ）の正面図に示すように穴のない状態となっている。
【００２３】
なお、高さ調整軸８は、上ねじ部８ａ、下ねじ部８ｂ、回転操作部８ｃで構成されるが、上ねじ部８ａと、下ねじ部８ｂとは逆ねじとなっている。
そして、上支柱６の内面には、高さ調整軸８の上ねじ部８ａが螺合するナット６ａが取り付けられ、そして、下支柱７の内面には、高さ調整軸８の下ねじ部８ｂが螺合するナット７ａが取り付けられ、主体部分である上支柱６、下支柱７、高さ調整軸８は螺合によって連結されている。
【００２４】
また、上支柱６の上端には、厚さ３．２ｍｍ程度の金属製でなる上スペーサ部材４が溶接にて取り付けられるが、その側面には空隙部４ａが形成されるようにスペーサ壁４ｂが壁面Ｗに沿うように形成されている。（図４（ｄ）参照。）
そして、スペーサ壁４ｂの表面には板状の磁石４ｃが貼着されている。
但し、この磁石４ｃは壁面Ｗが磁気吸着する強磁性体製部材の時使用すると効果があるものであり、そうでない材料の場合は省略しても良い。
【００２５】
同様に、下支柱７の下端には、厚さ３．２ｍｍ程度の金属製でなる下スペーサ部材５が溶接にて取り付けられるが、その側面には空隙部５ａが形成されるようにスペーサ壁５ｂが壁面Ｗに沿うように形成されている（図４（ｅ）参照。）。
また、スペーサ壁５ｂの表面には板状の磁石５ｃが貼着されていが、その扱いは、上述した磁石４ｃと同様な扱いでよい。
【００２６】
なお、上述した上スペーサ部材４の空隙部４ａ、並びに、下スペーサ部材５の空隙部５ａは、室内の角部分の保護材である、天井部の廻り縁Ｗａ、床部分の幅木Ｗｂの干渉を避けると共に、後述するように支柱２に棚板ユニット１０を取り付ける際の、取り付けスペースを確保するという二重の役割を持っている。
【００２７】
以上のように構成された、支柱２を室内等に取り付けるには、図３（ａ）に示すように、高さ調整軸８の回転により、支柱２の高さを調整する作業によって行えばよい。
即ち、上支柱６並びに下支柱７を回転しないように保持した状態（図３（ｄ）及び図３（ｅ）参照）で、高さ調整軸８を回転させると、上ねじ部８ａ、下ねじ部８ｂ、とは逆ねじとなっているため、図中に示すように、一方向では、上支柱６並びに下支柱７が支柱２の全高が短くなる方向に、他方向では上支柱６並びに下支柱７が支柱２の全高が長くなる方向に移動するので、最初に支柱２の全高を短めにしておき、高くする方向に回転させて
室内の床や天井の間などに張り込むように取り付ければよい。
【００２８】
なお、支柱の構成は、各種に変形して実施することができる。
図４は、各種の支柱の変形例を表わしたものであり、図４（ａ）は第１の変形例を示したものである。
この変形例は、支柱２２を、上支柱２３、下支柱２４、中支柱２５とで構成し、上支柱２３には内部にボルト２３ａが溶接されており、このボルト２３ａに螺合するナット２５ｂが、中支柱２５の上方の内部に溶接されている。
そして、中支柱２５の下方の内部には、上述したボルト２３ａとは逆ねじのボルト２５ａが溶接されており、このボルト２５ａに螺合するナット２４ｂが、下支柱２４の上方の内部に溶接されている。
このような構成としても、中支柱２５を回転することにより、前述の実施例と同様に、支柱２２の高さ調整並びに室内への取り付けを行うことができる。
【００２９】
図４（ｂ）は、第２の変形例を示している。
この変形例は、支柱３２を、上支柱３３、下支柱３４、中支柱３５とで構成し、上支柱３３には内部にボルト３３ａが溶接されており、このボルト３３ａに螺合するナット３５ｂが、中支柱３５の上方の内部に溶接されている。
そして、下支柱３４の内部には、上述したボルト３３ａとは逆ねじのボルト３４ａが溶接されており、このボルト３４ａに螺合するナット３６が、中支柱３５の下方の内部に溶接されている。
そして、中支柱３５を回転することにより、前述の実施例や変形例１と同様に、支柱３２の高さ調整並びに室内への取り付けを行うことができる。
【００３０】
なお、この変形例においては、中支柱３５の外形を上支柱３３の外形並びに下支柱３４の外形より小さくし、且つ、上部を中支柱３５内に、下部を下支柱３４内に嵌入させており、このような構成とすれば、各柱間の隙間が、外部からは見えないようにすることができる。
【００３１】
なお、これまでの支柱の実施例や変形例は、支柱が円形パイプのものとして説明してきたが、実施構造によりできないものはあるものの、少なくとも実施例の構成においては、支柱に使用するパイプは、図４（ｃ）の第３の変形例の支柱４２のような断面略四角型のパイプや、その他楕円形等の任意の断面形状のものを使用することも可能である。
【００３２】
次に棚板ユニット１０の具体的な構成について説明する。
そのうち棚板１２は、図２（ａ）等に示すように、本実施例では、厚さ４〜５ｍｍ程度、幅９００ｍｍ程度、奥行き２１０ｍｍ程度の大きさのアクリル樹脂等の透明な樹脂製のものを使用している。
但し、材料は、金属製、木製等を含め適宜なものでよい。
【００３３】
なお、側方には取り付けねじ１３が挿入する取り付け穴１２ａが片側４箇所で計８箇所形成されている。
取り付けねじ１３は、呼び径５ｍｍ程度の市販の小ねじを使い、ナット１４は袋ナット等適宜の形状のものを使用する。（拡大状態は、図５（ｅ）、図６（ｈ）参照）
【００３４】
棚受部材は、本実施例では、図５（ａ）に示すように、正面から向かって左側の支柱に使用する、棚受部材１１と、正面から向かって右側の支柱に使用する、棚受部材１１’とを一対として使用する。
【００３５】
棚受部材１１は、厚さ２．３ｍｍ程度、幅５０ｍｍ程度、長さ２１０ｍｍ程度の金属製で、棚板取り付け用の水平面１１ａと、所定角度（本実施例では水平から略５２°）傾斜した鈍角傾斜面１１ｂとで構成されている。
そして、鈍角傾斜面１１ｂには、支柱２が嵌合するための長穴部１１ｃが形成されており、正面に向かって右側には、後述する図６（ａ）の状態のように、鈍角傾斜面１１ｂを水平状態に回転させた時、支柱２が通過できる切り欠き部１１ｄが形成されていて、更に、長穴部１１ｃの上部には、支柱２の棚板取り付け穴３に嵌入するための舌片１１ｅが形成されている。
【００３６】
なお、棚受部材１１’は、切り欠き部１１ｄ’の位置が、棚受部材１１とは逆に、正面に向かって左側に形成されているだけで、他の条件は同一となっている。
棚受部材１１と棚受部材１１’との切り欠き部の位置が、逆になっているのは、二本の支柱２，２に棚板ユニット状態で取り付けた際に受ける荷重のバランスを最善の状態となるように意図したものであり、原理的には棚受部材１１と棚受部材１１’とを逆の位置で使ったり、どちらか一つ形態のものを２個使用しても、実施自体は可能である。
【００３７】
図５（ｂ）〜図５（ｆ）は、棚受部材の変形例を示したものである。
図５（ｂ）は変形例１を示しており、１本の支柱に対して、棚受部材１１と棚受部材１１’の２つを重ねて使用する形態を表わしており、付加重量が大きいと予想される場合に実施するとよい。
【００３８】
なお、本実施例においては、棚受部材は支柱２の側面から挿入しているが、支柱２を室内等に設置する前であれば、支柱２の分解状態において一端側から挿入しておくことも可能であり、図５（ｃ）に示す変形例２は、その使用方法に適した切り欠き部のない棚受部材１５を示している。
このような形態で実施できれば、構造も簡単で、強度的にも優れたものとなる。
【００３９】
なお、本実施例においては、棚受部材１１を支柱２の棚板取り付け穴３に取り付けた際には、後述する図６（ｆ）に示すように、長穴１１ｃにおける舌片１１ｅの付け根と長穴１１ｃの先端１１ｆが支柱２に対して略同時に接触する構成を基本としており、更に、図６（ｈ）のように、棚板１２の後面１２ｂも同時接触するようになっている。
【００４０】
このようにすると、付加加重が各部に略均等にかかる利点があるが、支柱への外観上の傷を防ぐという観点からは、棚板１２の後面１２ｂを接触させることも有力であり、図５（ｄ）の単品状態、図５（ｅ）の棚板セット状態で表わす変形例３の棚受部材１６のように、長穴１６ｃの下先端１６ｆが、支柱２に対して完全に接触しない形態とするように実施しても良い。
【００４１】
なお、その考えを延長すると、図５（ｆ）に示す変形例４の棚受部材１７のように、長穴１７ｃの先端を切り欠いてしまう形態で実施することも可能である。
【００４２】
次に、本実施例における支柱２への棚板ユニット１０を取り付ける手順について図２（ａ）及び並びに図６に示す各図を用いて説明する。
【００４３】
先ず、図２（ａ）の上段並びに、図６（ａ）の上方から見た図（以下、上視図）及び図６（ｂ）の中央拡大断面図に示すように、棚受部材１１の鈍角傾斜面１１ｂを支柱２の側面の長手方向に対して直角、即ち、水平状態にして、切り欠き部１１ｄを通過させる。
ついで、図６（ｃ）の上視図及び図６（ｄ）の中央拡大断面図に示すように、棚受部材１１の長穴１１ｃの位置と支柱２の棚板取り付け穴３の位置を合わせ、そこに長穴１１ｃの上端に形成されている舌片１１ｅを差し込む。
【００４４】
次に、図２（ａ）の中段並びに、図６（ｅ）の上視図及び図６（ｆ）の中央拡大断面図に示すように、棚受部材１１から手を離し、支柱２に自然の状態に係止させる。
すると、支柱２の棚板取り付け穴３には、棚受部材１１の長穴１１ｃに形成された舌片１１ｅの上下面が当接し、さらに長穴１１ｃの先端１１ｆは、支柱２の正面に当接して安定することになる。
【００４５】
この状態から、図２（ａ）の下段並びに、図６（ｇ）の上視図及び図６（ｈ）の中央拡大断面図に示すように、棚受部材１１上に、棚板１２を、取り付けねじ１３，ナット１４を使って取り付けることにより棚板ユニット１０が完成すると共に、支柱２への取り付けも完了する。
【００４６】
なお、棚板ユニット１０は、図６（ｈ）に、想像線で示すように、その状態から上向きに回転させることができる。
この時、支柱２内の舌片１１ｅの入り代Ｙより、支柱と棚板の後面先端との間隙Ｚを大きく設定しておけば、これまで述べた、棚受部材１１の支柱２の取り付け手順とは逆の手順で、支柱２から、棚受部材１１、即ち、棚板ユニット１０も外すことができることになる。
従って、一旦、支柱２に取り付けた棚板ユニット１０は、分解することなく、そのままの形態で、他の位置の棚板取り付け穴３に付け替えができることになるので、そのように設定しておくことが好ましい対応となる。
【００４７】
本発明は、各種に変形して実施することができる。
例えば、支柱や、棚受部材に使う材料については、金属部材と表現したが、その材料は、強度さえもてば、いかなる材料を使用しても良い。
また、本実施例や変形例は、支柱を使う構成で説明したが、この支柱は、独立した部材である必要はなく、各種断面のパイプを使用した棚等の物品に対しても、実施することが可能である。
【産業上の利用可能性】
【００４８】
本発明による組立式棚装置は、正面及び側面から見て、支柱に取り付け穴が見えないため、美観に優れており、特に陳列棚用に用いると効果的である。
また、棚は支柱より前に設置されるので、物品が収納や確認がしやすいので、一般の収納棚としても使用できる。
なお、本実施例においては、支柱を使用する構成で説明したが、各種断面のパイプを使用している棚であれば、そこに取り付ける構成でも実施することができるので、利用範囲を拡大することもできる。
【符号の説明】
【００４９】
Ｗ  壁面
Ｗａ  廻り縁
Ｗｂ  幅木
Ｙ  舌片の入り代
Ｚ  支柱と棚板後端との間隙
１  組立式棚装置
２  支柱
３  棚板取り付け穴
４  上スペーサ部材
４ａ、５ａ  空隙部
４ｂ、５ｂ  スペーサ壁
４ｃ、５ｃ  磁石
５  下スペーサ部材５
６  上支柱
６ａ  ナット
７  下支柱
７ａ  ナット
８  高さ調整軸
８ａ  上ねじ部
８ｂ  下ねじ部
８ｃ  回転操作部
１０  棚板ユニット１０
１１、１１’  棚受部材
１１ａ  水平面
１１ｂ  鈍角傾斜面
１１ｃ  長穴部
１１ｄ、１１ｄ  ’切り欠き部
１１ｅ  舌片
１１ｆ  先端
１２  棚板
１２ａ  取り付け穴
１２ｂ  後面
１３  取り付けねじ
１４  ナット
１５、１６、１７  棚受部材
１６ｃ、１７ｃ  長穴
１６ｆ  先端
２２、３２、４２  支柱
２３、３３  上支柱
２３ａ  ボルト
２４、３４  下支柱
２４ｂ  ナット
２５、３５  中支柱
２５ａ  ボルト
２５ｂ  ナット
３３ａ  ボルト
３４ａ  ボルト
３５ｂ  ナット
３６  ナット
【図１】
2010179032.tif 000003
【図２】
2010179032.tif 000004
【図３】
2010179032.tif 000005
【図４】
2010179032.tif 000006
【図５】
2010179032.tif 000007
【図６】
2010179032.tif 000008